(57)【要約】【課題】摘み部が摘みやすいながらも、指先などの切創を防止できる包装用容器を提供する。【解決手段】包装用容器１は、容器本体２と、容器本体２に内嵌合する蓋体３と、を備え、容器本体２は、外周縁に外側上方に向かい傾斜乃至湾曲する本体フランジ部２４を有し、本体フランジ部２４の外縁部には、外側下方に向かい拡開するスカート部２５が設けてあり、蓋体３は、外縁に外方に延出する舌片状の摘み部３５を少なくとも一つ有し、摘み部３５は、蓋体３を容器本体２に閉蓋した状態において、本体フランジ部２４面上に載り、先端部が、本体フランジ部２４の外縁部よりも外側に位置し、かつ、スカート部２５の外縁部よりも内側に位置する構成としたことを特徴とする。【選択図】図７
2019199269.tif 000002
【特許請求の範囲】
【請求項１】
容器本体と、該容器本体に内嵌合する蓋体と、を備えた包装用容器であって、
該容器本体は、外周縁に外側上方に向かい傾斜乃至湾曲する本体フランジ部を有し、該本体フランジ部の外縁部には、外側下方に向かい拡開するスカート部が設けてあり、
該蓋体は、外縁に外方に延出する舌片状の摘み部を少なくとも一つ有し、
該摘み部は、該蓋体を該容器本体に閉蓋した状態において、該本体フランジ部面上に載り、先端部が、該本体フランジ部の外縁部よりも外側に位置し、かつ、該スカート部の外縁部よりも内側に位置する構成とした、
包装用容器。
【請求項２】
前記本体フランジ部は上下に褶曲する形状としてあり、前記摘み部は、該蓋体を該容器本体に閉蓋した状態において、先端部が前記本体フランジ部の最高位の頂部から僅かに離間した位置になるように配した請求項１に記載の包装用容器。
【請求項３】
前記摘み部は、少なくとも先端側の面部を凹凸状にした網目状又は波状としてある請求項１又は２に記載の包装用容器。
【請求項４】
前記本体フランジ部は容器内側に湾曲する湾状凹部を有し、該湾状凹部の上方に前記摘み部を配した請求項１〜３のいずれかに記載の包装用容器。
【発明の詳細な説明】
【技術分野】
【０００１】
本発明は、食料品などを収容することができる包装用容器に関し、より具体的には、開蓋するための摘み部を摘みやすくした包装用容器に関する。
【背景技術】
【０００２】
コンビニエンスストアなどでは、お弁当やお惣菜などの食料品が薄肉の透明樹脂製容器に収容され、販売されていることがよく見かけられる。このような容器は、蓋体を容器本体の内側に嵌合する内嵌合構造としてあることが多い。
内嵌合構造は密閉性が高く、弁当や惣菜などの汁気が多いものでも水分の漏出を防ぐことができる嵌合構造である。
【０００３】
しかし、内嵌合構造は密閉性を高くすることができる反面、嵌合強度が強いため開蓋する際には開けにくいという問題が生じていた。そこで、蓋体に摘み部を設けて開蓋しやすくすることなどが行われている。
【０００４】
例えば、下記特許文献１には、合成樹脂シートから熱成形された平面視多角形状の容器本体及び蓋体を備え、容器本体は、蓋体を内嵌合させるための嵌合部と、該嵌合部の外側に形成された本体フランジ部とを備え、蓋体は、容器本体の嵌合部と内嵌合する嵌合部と、該嵌合部の外側に形成された蓋体フランジ部とを備えている包装用容器であって、本体フランジ部は、嵌合部の外側に設けられた上面部と該上面部の外周から垂下した垂下部とを備え、容器本体の少なくとも一つのコーナー部における本体フランジ部の上面部の外側部分には、外側に向けて上り勾配で傾斜する傾斜面部が形成され、蓋体フランジ部には、閉蓋状態において前記傾斜面部の上に重なるように当接することにより外側に向けて上り勾配で傾斜する摘み部が形成されていることを特徴とする包装用容器が示され、この包装用容器は、内嵌合された蓋体を容易に開蓋することができるようにしたものである。
【０００５】
また、下記特許文献２には、底面と該底面の周囲から立ち上がる周側壁と該周側壁の上縁部の内周面である容器内嵌合部を備えた容器本体と、蓋天面と前記容器本体の前記容器内嵌合部に内嵌合する蓋内嵌合部を備えた蓋体とからなる蓋付容器であって、前記容器本体および前記蓋体は平面視で点対称をなす形状であり、前記容器本体の前記周側壁は前記底面の一部で特定した基準面からの垂直距離が他よりも高くされた箇所が容器本体の中心から点対称の位置に２箇所形成されており、該高くされた箇所の周側壁上端縁とその両側に続く周側壁上端縁とは滑らかに下降する曲線で接続しており、前記蓋体の前記蓋内嵌合部の上端縁の軌跡は前記容器本体の周側壁の上端縁の軌跡にほぼ一致した形状とされていることを特徴とする蓋付容器が示され、この蓋付容器は、高い密封性と蓋体の開閉の容易性を同時に満足できるものである。
【先行技術文献】
【特許文献】
【０００６】
【特許文献１】特許第５７１１８０６号公報
【特許文献２】特許第６０２２８１９号公報
【発明の概要】
【発明が解決しようとする課題】
【０００７】
摘み部は、容器本体のフランジ部上に接面させて配されていることがあり、この場合、摘み部を摘むための隙間がなく摘みにくいものであった。また、摘み部の先端部を容器本体のフランジ部よりも外側に延出するように配しておけば摘みやすくなるが、摘み部が突出しているため、指先が触れた際に切創するおそれがあり、また、ラップフィルムで包む際に摘み部の先端部に掛かり、テンションによりラップフィルムを裁断してしまうおそれがあった。
【０００８】
そこで、本発明の目的は、摘み部が摘みやすいながらも、指先などの切創を防止できる包装用容器を提供することにある。
【課題を解決するための手段】
【０００９】
本発明の一実施形態の包装用容器は、容器本体と、容器本体に内嵌合する蓋体と、を備え、容器本体は、外周縁に外側上方に向かい傾斜乃至湾曲する本体フランジ部を有し、本体フランジ部の外縁部には、外側下方に向かい拡開するスカート部が設けてあり、蓋体は、外縁に外方に延出する舌片状の摘み部を少なくとも一つ有し、摘み部は、蓋体を容器本体に閉蓋した状態において、該本体フランジ部面上に載り、先端部が、本体フランジ部の外縁部よりも外側に位置し、かつ、スカート部の外縁部よりも内側に位置する構成としたことを特徴とする。
【００１０】
このように、蓋体を容器本体に閉蓋した状態において、摘み部の先端部が、本体フランジ部の外縁部よりも外側に位置し、かつ、スカート部の外縁部よりも内側に位置する構成としたことにより、摘み部の先端部が本体フランジ部の外縁部よりも突出するため、摘み部が摘みやすくなる。また、先端部がスカート部の外縁部よりも内側に位置するため、指先が摘み部の先端部に不慮に触れにくくなり、切創を防止できる。包装用容器をラップフィルムで包む際も、ラップフィルムが摘み部の先端部には触れにくくなり、スカート部の外縁部にテンションがかかるようになるのでラップフィルムが裁断されるおそれを低減させることができる。さらに、摘み部は、本体フランジ部の上面に載せてあるため、先端部が上向きになり、より一層摘み部が摘みやすくなる。
【００１１】
上記形態の包装用容器は、本体フランジ部を上下に褶曲する形状とすることができ、摘み部を、蓋体を容器本体に閉蓋した状態において、先端部が本体フランジ部の最高位の頂部から僅かに離間した位置になるように配することができる。これにより、本体フランジ部の最高位の頂部は目立つ部分であるため、この近傍に摘み部の先端部が配してあれば摘み部を見付けやすくなり、開封作業がしやすくなる。
【００１２】
上記形態の包装用容器は、摘み部の少なくとも先端部側の面部を凹凸状にした網目状又は波状とすることができる。これにより、摘み部の先端部の強度が高まり変形しにくくなるため、蓋体の開封がしやすくなる。
【００１３】
上記形態の包装用容器は、本体フランジ部に容器内側に湾曲する湾状凹部を設け、湾状凹部の上方に摘み部を配することができる。これにより、内側に凹む湾曲部内に摘み部が配されているため、摘み部が奥まった位置に配されるため、摘み部の先端部に指先が触れにくくなり、より一層切創を防止することができる。
【図面の簡単な説明】
【００１４】
【図１】本発明の包装用容器の一実施形態を示し、閉蓋状態での斜視図である。
【図２】図１に示した包装用容器における容器本体を示し、（Ａ）は平面図、（Ｂ）は中心線端面図である。
【図３】図１に示した包装用容器において、閉蓋状態での平面図である。
【図４】図１に示した包装用容器における容器本体を示し、（Ａ）は正面図又は背面図であり、（Ｂ）は右側面図又は左側面図である。
【図５】図１に示した包装用容器における蓋体を示し、（Ａ）平面図、（Ｂ）は中心線端面図である。
【図６】図３のＸ部の拡大図である。
【図７】図１に示した包装用容器において、閉蓋状態での摘み部付近の部分拡大端面図である。
【発明を実施するための形態】
【００１５】
以下、本発明の包装用容器の一実施形態を図面に基づいて説明する。
【００１６】
本発明の一実施形態の包装用容器１は、図１に示すように、容器本体２と、容器本体２に内嵌合できる蓋体３とを備える。
【００１７】
包装用容器１は、特に限定するものではないが、惣菜、米飯、麺類、スープ等の食料品を収容することができ、特に、密閉する必要のある、汁気の多い食料品、例えば、弁当、惣菜、スープ等を収容するのが好ましい。
包装用容器１は、平面視楕円乃至長円形状としてあるが、これに限定されるものではなく、例えば、平面視正方形乃至長方形状などの平面視四角形状、平面視五角形状、六角形状又は八角形状などの平面視多角形状、平面視長円形状などにすることもできる。
【００１８】
包装用容器１は、例えば、シート厚０．１０ｍｍ〜４．０ｍｍ、好ましくは０．１５ｍｍ〜２．５ｍｍの合成樹脂シートを熱成形して製造することができる。
【００１９】
合成樹脂シートとしては、特に限定するものではないが、発泡樹脂シート、非発泡樹脂シートのいずれでもよく、例えば、ポリエチレン系樹脂シートやポリプロピレン系樹脂シートなどのポリオレフィン系樹脂シート、ポリスチレン系樹脂シート、ポリエチレンテレフタレート系樹脂シートや耐熱性を付与した変性ポリエチレンテレフタレート系樹脂シートなどのポリエステル系樹脂シートなどの熱可塑性樹脂シートを挙げることができる。なかでも、電子レンジの加熱に耐え得るもの、例えば、耐熱性ポリスチレン系樹脂シート、ポリプロピレン系樹脂シート、耐熱性を付与した変性ポリエチレンテレフタレート系樹脂シートが好ましい。
また、合成樹脂シートとして積層シートを用いることもでき、積層シートとしては、例えば、合成樹脂シートにフィルムを熱ラミネートした積層シート、共押出法による積層シート、押出ラミネート法による積層シートなどを挙げることができる。
【００２０】
熱成形としては、例えば、真空成形、圧空成形、真空圧空成形、熱板成形などを挙げることができる。
【００２１】
容器本体２と蓋体３との材質は同じでも相違してもよく、例えば、容器本体２を発泡樹脂、蓋体３を非発泡樹脂から形成することができる。
また、容器本体２及び蓋体３は、黒色や白色などの有色にしても、透明や半透明などにしてもよい。容器本体２と蓋体３との色は、同じでも相違してもよく、例えば、容器本体２を白色、蓋体３を透明にすることができる。なお、本実施形態では、容器本体２を黒色、蓋体３を透明としてある。
【００２２】
容器本体２は、図２に示すように、平面視楕円乃至長円形扁平箱型に形成してあり、平面視楕円乃至長円状の底面部２１と、底面部２１の縁部から立ち上がる側壁面部２２と、側壁面部２２の上縁部付近の内面側に設けた嵌合部２３と、側壁面部２２の上縁部から外方に張り出す本体フランジ部２４と、本体フランジ部２４の外縁部から下方に延びるスカート部２５と、を備える。
【００２３】
底面部２１は平面視楕円乃至長円形状の略水平面として形成し、側壁面部２２は底面部２１の周縁から拡開しながら傾斜状に立ち上がるように形成してあり、底面部２１及び側壁面部２２で囲われた箇所に食料品などの収容物を収容することができる収容部２１ａとしてある。
【００２４】
底面部２１の面上には、細長三日月状の突出部２１ｂが四方に形成してあり、底面部２１に載せた食料品などの収容物が動きにくいようにしてある。
底面部２１の周囲には、一段凹ませた周溝部２１ｃが形成してあり、食料品などから滲出した水分を貯めることができるようにしてある。本実施形態においては、周溝部２１ｃは容器本体２の脚部にもなる。
【００２５】
側壁面部２２は、図２に示すように、上方に向かい拡開する傾斜面としてあり、上縁部付近の内面側を、蓋体３を内嵌合する嵌合部２３としてある。
嵌合部２３は、上方に向かい内側に縮小する傾斜乃至湾曲面としてあり、蓋体３の被嵌合部３３を嵌合できるようにしてある。
【００２６】
側壁面部２２の上縁部には、外方に張り出す本体フランジ部２４が設けてある。
本体フランジ部２４は、外側に向かい昇り傾斜する傾斜面として形成してあり、容器本体２の周縁部に所定幅で形成してある。本実施形態では、平坦状の傾斜面としてあるが、外側に向かい上昇する凸状や凹状の湾曲面状に形成してもよい。
【００２７】
本体フランジ部２４は、上下に褶曲する形状としてあり、本実施形態では、図３又は図４に示すように、Ｐ１〜Ｐ４付近を同じ高さの最高位とした頂部２４ａとし、Ｑ１〜Ｑ４を同じ高さとした最低位の谷底部２４ｂとした褶曲状に形成してある。より詳しくは、図４に示すように、正背面視又は左右側面視において、両端部付近を頂部２４ａとし、中央部付近を谷底部２４ｂとした湾曲凹状に形成してある。
【００２８】
本体フランジ部２４の所定箇所には、図２に示すように、容器内側に湾曲状に凹む湾状凹部２４ｃを設けてあり、本実施形態では、正面側及び背面側の本体フランジ部の両端部付近に設け、頂部２４ａの脇にそれぞれ設けてある。
【００２９】
スカート部２５は、本体フランジ部２４の外縁部から外側下方に向かい拡開するように設けてあり、本実施形態では、図２に示すように、階段状に形成してある。スカート部２５は、外側下方に向かい拡開するようにしてあればよく、傾斜面状や湾曲面状などにしてもよい。
【００３０】
蓋体３は、図１又は図５に示すように、容器本体２を覆うように形成してあり、平面視楕円乃至長円形状の天面部３１と、天面部３１の縁部から下方に傾斜する側壁面部３２と、側壁面部３２の下縁部に設けた被嵌合部３３と、被嵌合部３３から外方に張り出す蓋体フランジ部３４と、蓋体フランジ部３４から延出した摘み部３５と、を備える。
【００３１】
天面部３１は、図５に示すように、平面視楕円乃至長円形状の略水平面としてあり、天面部３１の外縁部には、外側下方に向かい拡開する傾斜面状の側壁面部３２が設けてあり、天面部３１及び側壁面部３２で容器本体２の収容部２１ａを被覆できるようにしてある。
【００３２】
被嵌合部３３は、側壁面部３２の下縁部付近の周囲に設けてあり、側壁面部３２の下縁部から外側に水平状に所定幅で張り出し、その先端部を上方に向けた立ち上がり面部３３ａの外側面を被嵌合部３３としてある。被嵌合部３３は上方に向かい縮小する傾斜面としてあり、嵌合部２３と嵌合できるようにしてある。
【００３３】
蓋体フランジ部３４は、被嵌合部３３（立ち上がり面部３３ａ）の上縁部から外方に所定幅で張り出すように形成してあり、蓋体３を容器本体２に嵌合させた状態で、蓋体フランジ部３４が本体フランジ部２４の面上に載り、本体フランジ部２４に沿い外側に向かい昇り傾斜するようにしてある。蓋体フランジ部３４の出幅は、本体フランジ部２４の出幅よりも小さくし、本体フランジ部３４から外側にはみ出さないようにしてある。
【００３４】
摘み部３５は、図５に示すように、蓋体フランジ部３４の一部分を舌片状に外側に延出させて形成してあり、本実施形態では、蓋体３の中心に対して点対称状に２つ設けてある。摘み部３５は少なくとも１つ設けてあればよく、四方にそれぞれ設けるようにしてもよい。
摘み部３５は、少なくとも先端側の面部を凹凸状に形成して網目状又は波状にしてある。これにより、摘み部３５が補強されて変形しにくくなり、摘んで持ち上げる際に持ち上げやすくなる。
【００３５】
摘み部３５は、図６又は図７に示すように、蓋体３を容器本体２に嵌合させた状態で、先端部が、平面視において、本体フランジ部２４の外縁部よりも外側に位置し、かつ、スカート部２５の外縁部よりも内側に位置するようにしてある。これにより、摘み部３５の先端部が本体フランジ部２４の外縁部よりも外側に位置するため、本体フランジ部よりも突出し、摘み部３５が摘みやすくなる。また、先端部がスカート部３５の外縁部よりも内側に位置するため、指先が摘み部３５の先端部に不慮に触れにくくなり、切創を防止できる。
【００３６】
摘み部３５は、図３又は図６に示すように、蓋体３を容器本体２に嵌合させた状態で、湾状凹部２４ｃ付近に配置し、摘み部３５の先端部が湾内の上方に配置されるようにするのが好ましい。摘み部３５を湾状凹部２４ｃ付近に配置することにより、奥まった位置に摘み部３５が配されるので、より一層切創を防止できる。さらには、摘み部３５は本体フランジ部３４の頂部３４ａから僅かに離間した位置に配置されることになる。本体フランジ部３４の最高位部分である頂部３４ａは外部から目立ちやすいため、その近傍にある摘み部３５が容易に見付け出され、開封作業がしやすくなる。
【００３７】
このような包装用容器１は、収容部２１ａに食料品などを収容し、蓋体３を容器本体２に被せ、嵌合部２３と被嵌合部３３とを内嵌合させることにより、閉蓋して使用することができる。
【００３８】
包装用容器１は、蓋体３を容器本体２に嵌合させた状態で、摘み部３５の先端部が本体フランジ部２４の外縁部よりも外側に位置するため、本体フランジ部よりも突出し、摘み部３５が摘みやすくなり、開蓋しやすくなる。また、摘み部３５を含む蓋体フランジ部３４が外側に向かい上昇する本体フランジ部２４上に載せてあるため、摘み部３５の先端部が上向きになりこの観点からも摘みやすくなる。
摘み部３５が摘みやすいながらも包装用容器１は、摘み部３５の先端部がスカート部３５の外縁部よりも内側に位置するため、指先が摘み部３５の先端部に不慮に触れにくくなり、切創を防止できる。さらに、湾状凹部２４ｃの上方に配置すれば、奥まった位置に摘み部３５が配されるので、より一層切創を防止できる。
【００３９】
上記実施形態の構成態様は、本発明を限定するものとして挙げたものではなく、技術目的を共通にするかぎり変更は可能であり、本発明はそのような変更を含むものである。
【符号の説明】
【００４０】
１包装用容器
２容器本体
２１底面部
２１ａ収容部
２１ｂ突出部
２１ｃ周溝部
２２側壁面部
２３嵌合部
２４本体フランジ部
２４ａ頂部
２４ｂ谷底部
２４ｃ湾曲凹部
２５スカート部
３蓋体
３１天面部
３２側壁面部
３３被嵌合部
３３ａ立ち上がり面部
３４蓋体フランジ部
３５摘み部
【図１】
2019199269.tif 000003
【図２】
2019199269.tif 000004
【図３】
2019199269.tif 000005
【図４】
2019199269.tif 000006
【図５】
2019199269.tif 000007
【図６】
2019199269.tif 000008
【図７】
2019199269.tif 000009